(57)【要約】【課題】エラー解除の操作性及び利便性を向上させつつ、将来的なエラーの発生を必要に応じて低減させること。【解決手段】金銭の入出金を処理する自動釣銭機２０でエラーが生じた場合、エラーに対応するエラー解除操作手順データ１３ａを記憶部１３から読み出してエラー解除操作用の画像データ１３１をエラー解除操作の進捗の各段階毎に表示部１１に順次表示させる制御部１２を備え、この制御部１２は、エラー解除操作用の画像データ１３１を表示部１１に順次表示させる際にメンテナンス操作用の画像データ１４１を表示させるための入力部１４を表示部１１に表示させ、入力部１４を通じて入力操作された場合に、エラー解除操作用の画像データ１３１を表示させる原因となったエラーに関連するメンテナンス手順データ１３ｂを記憶部１３から読み出すとともに、メンテナンス操作用の画像データ１４１を表示部１１に表示させる。【選択図】図１
2020135227.tif 000002
【特許請求の範囲】
【請求項１】
金銭の入出金を処理する金銭処理装置に電気的に接続され、かつ所定の情報を表示する表示手段と、
前記金銭処理装置で生じたエラーを解除して正常状態へ復帰するためのエラー解除操作が、該エラー解除操作の進捗の各段階に応じて複数用意されたエラー解除操作用の画像データを含むエラー解除操作手順データを格納する記憶手段と、
前記金銭処理装置でエラーが生じたことが検出手段を通じて検出された場合、該エラーに対応するエラー解除操作手順データを前記記憶手段から読み出すとともに、前記エラー解除操作用の画像データをエラー解除操作の進捗の各段階毎に前記表示手段に順次表示させる制御手段と
を備えた金銭処理装置用表示システムであって、
前記記憶手段は、前記エラー解除操作とは異なってエラーの発生の原因を取り除くためのメンテナンス操作が、該メンテナンス操作の進捗の各段階に応じて複数用意されたメンテナンス操作用の画像データを含むメンテナンス手順データを有し、
前記制御手段は、前記エラー解除操作用の画像データを前記表示手段に順次表示させる際に、前記メンテナンス操作用の画像データを表示させるための入力部を前記表示手段に表示させるものであり、前記入力部を通じて入力操作された場合に、該エラー解除操作用の画像データを表示させる原因となったエラーに関連するメンテナンス手順データを前記記憶手段から読み出すとともに、前記メンテナンス操作用の画像データを前記表示手段に表示させることを特徴とする金銭処理装置用表示システム。
【請求項２】
前記エラー解除操作用の画像データは、エラー解除操作の進捗の各段階で操作者が目にする前記金銭処理装置の状況のものであって、エラー解除操作の進捗の各段階に応じて複数用意されており、
前記メンテナンス操作用の画像データは、メンテナンス操作の進捗の各段階で操作者が目にする前記金銭処理装置の状況のものであって、メンテナンス操作の進捗の各段階に応じて複数用意されていることを特徴とする請求項１に記載の金銭処理装置用表示システム。
【請求項３】
前記制御手段は、前記メンテナンス操作用の画像データを前記表示手段に表示させている際に新たなエラーが生じたことが前記検出手段を通じて検出された場合、該新たなエラーを操作中エラーとして、前記エラー解除操作用の画像データを表示させる原因となったエラーと区別することを特徴とする請求項１又は請求項２に記載の金銭処理装置用表示システム。
【請求項４】
前記制御手段は、前記操作中エラーを前記エラー解除操作用の画像データを表示させる原因となったエラーとともに履歴情報として記録する場合、該操作中エラーについては予め決められた印を付与して記録することで、区別することを特徴とする請求項３に記載の金銭処理装置用表示システム。
【請求項５】
前記制御手段は、前記操作中エラーについては履歴情報に記録しないことで、区別することを特徴とする請求項３に記載の金銭処理装置用表示システム。
【請求項６】
前記制御手段は、前記入力部を通じて入力操作されてから前記金銭処理装置が前記正常状態に復帰するまでに前記検出手段により検出された新たなエラーを前記操作中エラーとすることを特徴とする請求項３〜５のいずれか１つに記載の金銭処理装置用表示システム。
【発明の詳細な説明】
【技術分野】
【０００１】
本発明は、金銭処理装置用表示システムに関し、より詳細には、例えばスーパーマーケット等の店舗のＰＯＳ（Point  Of  Sales）レジスタ装置に接続される金銭処理装置のエラーを解除して正常状態に復帰させる金銭処理装置用表示システムに関するものである。
【背景技術】
【０００２】
従来、例えばスーパーマーケットやコンビニエンスストア等の店舗において、ＰＯＳ端末に接続された自動釣銭機等の金銭処理装置が知られている。このような金銭処理装置は通常、買い物客から預かった紙幣や硬貨を入金して収納庫に収納する一方で、出金指示により収納庫から釣銭を出金する。
【０００３】
そのような金銭処理装置にエラーが発生した場合、ＰＯＳレジスタ装置の表示部に、該金銭処理装置で発生したエラーを解除して正常状態へ復帰するためのエラー解除操作を画像データとしてエラー解除操作の進捗状況に応じて順次表示させる金銭処理装置用表示システムが提案されている（例えば、特許文献１参照）。
【先行技術文献】
【特許文献】
【０００４】
【特許文献１】特許第５２３９３８４号公報
【発明の概要】
【発明が解決しようとする課題】
【０００５】
ところで、金銭処理装置でのエラーの発生には原因があり、その原因を取り除かないと、エラーが再発する虞れがある。このエラーの発生原因には、機器の故障もあるが、繰り返し使用される構成要素の消耗や汚れ、異物の混入等もある。具体的に説明すると、金銭処理装置において硬貨詰まりというエラーが発生した場合、詰まった硬貨を取り除くのがエラー解除操作である。しかしながら、硬貨詰まりには、硬貨を搬送する搬送路の汚れ等が発生原因として考えられ、搬送路を清掃しない限り、硬貨詰まりのエラーが繰り返し発生することになる。
【０００６】
上述した金銭処理装置用表示システムは、金銭処理装置でエラーが発生した場合に、エラー解除の操作性及び利便性を向上させる有用なものであったが、あくまでエラーが発生したときのエラー解除操作の提示であり、将来的なエラーの発生を低減できるものではなかった。
【０００７】
本発明は、上記実情に鑑みて、エラー解除の操作性及び利便性を向上させつつ、将来的なエラーの発生を必要に応じて低減させることができる金銭処理装置用表示システムを提供することを目的とする。
【課題を解決するための手段】
【０００８】
上記目的を達成するために、本発明に係る金銭処理装置用表示システムは、金銭の入出金を処理する金銭処理装置に電気的に接続され、かつ所定の情報を表示する表示手段と、前記金銭処理装置で生じたエラーを解除して正常状態へ復帰するためのエラー解除操作が、該エラー解除操作の進捗の各段階に応じて複数用意されたエラー解除操作用の画像データを含むエラー解除操作手順データを格納する記憶手段と、前記金銭処理装置でエラーが生じたことが検出手段を通じて検出された場合、該エラーに対応するエラー解除操作手順データを前記記憶手段から読み出すとともに、前記エラー解除操作用の画像データをエラー解除操作の進捗の各段階毎に前記表示手段に順次表示させる制御手段とを備えた金銭処理装置用表示システムであって、前記記憶手段は、前記エラー解除操作とは異なってエラーの発生の原因を取り除くためのメンテナンス操作が、該メンテナンス操作の進捗の各段階に応じて複数用意されたメンテナンス操作用の画像データを含むメンテナンス手順データを有し、前記制御手段は、前記エラー解除操作用の画像データを前記表示手段に順次表示させる際に、前記メンテナンス操作用の画像データを表示させるための入力部を前記表示手段に表示させるものであり、前記入力部を通じて入力操作された場合に、該エラー解除操作用の画像データを表示させる原因となったエラーに関連するメンテナンス手順データを前記記憶手段から読み出すとともに、前記メンテナンス操作用の画像データを前記表示手段に表示させることを特徴とする。
【０００９】
また本発明は、上記金銭処理装置用表示システムにおいて、前記エラー解除操作用の画像データは、エラー解除操作の進捗の各段階で操作者が目にする前記金銭処理装置の状況のものであって、エラー解除操作の進捗の各段階に応じて複数用意されており、前記メンテナンス操作用の画像データは、メンテナンス操作の進捗の各段階で操作者が目にする前記金銭処理装置の状況のものであって、メンテナンス操作の進捗の各段階に応じて複数用意されていることを特徴とする。
【００１０】
また本発明は、上記金銭処理装置用表示システムにおいて、前記制御手段は、前記メンテナンス操作用の画像データを前記表示手段に表示させている際に新たなエラーが生じたことが前記検出手段を通じて検出された場合、該新たなエラーを操作中エラーとして、前記エラー解除操作用の画像データを表示させる原因となったエラーと区別することを特徴とする。
【００１１】
また本発明は、上記金銭処理装置用表示システムにおいて、前記制御手段は、前記操作中エラーを前記エラー解除操作用の画像データを表示させる原因となったエラーとともに履歴情報として記録する場合、該操作中エラーについては予め決められた印を付与して記録することで、区別することを特徴とする。
【００１２】
また本発明は、上記金銭処理装置用表示システムにおいて、前記制御手段は、前記操作中エラーについては履歴情報に記録しないことで、区別することを特徴とする。
【００１３】
また本発明は、上記金銭処理装置用表示システムにおいて、前記制御手段は、前記入力部を通じて入力操作されてから前記金銭処理装置が前記正常状態に復帰するまでに前記検出手段により検出された新たなエラーを前記操作中エラーとすることを特徴とする。
【発明の効果】
【００１４】
本発明によれば、制御手段が、金銭処理装置でエラーが生じたことが検出手段を通じて検出された場合、該エラーに対応するエラー解除操作手順データを記憶手段から読み出すとともに、エラー解除操作用の画像データをエラー解除操作の進捗の各段階毎に表示手段に順次表示させるので、取扱説明書等を用意させる必要もなく、操作者に表示手段の表示にしたがってエラー解除操作を行わせることができる。しかも制御手段が、エラー解除操作用の画像データを表示手段に順次表示させる際に、メンテナンス操作用の画像データを表示させるための入力部を表示手段に表示させ、入力部を通じて入力操作された場合に、該エラー解除操作用の画像データを表示させる原因となったエラーに関連するメンテナンス手順データを記憶手段から読み出すとともに、メンテナンス操作用の画像データを表示手段に表示させるので、表示手段の表示に従って操作者にメンテナンス操作を行わせることができる。従って、エラー解除の操作性及び利便性を向上させつつ、将来的なエラーの発生を必要に応じて低減させることができるという効果を奏する。
【図面の簡単な説明】
【００１５】
【図１】図１は、本発明の実施の形態である金銭処理装置用表示システムの構成を模式的に示すブロック図である。
【図２】図２は、図１に示した制御部が実施するエラー解除操作表示処理の処理内容を示すフローチャートである。
【図３】図３は、エラー解除操作の手順を示すイメージ図である。
【図４】図４は、エラー解除操作の手順を示すイメージ図である。
【図５】図５は、エラー解除操作の手順を示すイメージ図である。
【図６】図６は、エラー解除操作の手順を示すイメージ図である。
【図７】図７は、エラー解除操作の手順を示すイメージ図である。
【図８】図８は、エラー解除操作の手順を示すイメージ図である。
【図９】図９は、エラー解除操作の手順を示すイメージ図である。
【図１０】図１０は、エラー解除操作の手順を示すイメージ図である。
【図１１】図１１は、エラー解除操作の手順を示すイメージ図である。
【図１２】図１２は、メンテナンス操作の手順を示すイメージ図である。
【図１３】図１３は、メンテナンス操作の手順を示すイメージ図である。
【図１４】図１４は、エラー解除操作の手順を示すイメージ図である。
【図１５】図１５は、エラー解除操作の手順を示すイメージ図である。
【図１６】図１６は、エラー解除操作の手順を示すイメージ図である。
【図１７】図１７は、エラー解除操作の手順を示すイメージ図である。
【図１８】図１８は、エラー解除操作の手順を示すイメージ図である。
【図１９】図１９は、エラー解除操作の手順を示すイメージ図である。
【発明を実施するための形態】
【００１６】
以下に添付図面を参照して、本発明に係る金銭処理装置用表示システムの好適な実施の形態について詳細に説明する。
【００１７】
図１は、本発明の実施の形態である金銭処理装置用表示システムの構成を模式的に示すブロック図である。ここで例示する金銭処理装置用表示システムは、例えばスーパーマーケットやコンビニエンスストア等の店舗において顧客との商取引が行われる際に情報の収集及び管理を行う端末機器としてのＰＯＳレジスタ装置１０で構成されており、このＰＯＳレジスタ装置１０には金銭処理装置としての自動釣銭機２０が電気的に接続されている。
【００１８】
まず自動釣銭機２０について説明する。自動釣銭機２０は、硬貨部２１と、紙幣部２２と、操作入力部２３と、金銭制御部２４とを備えて構成されている。
【００１９】
硬貨部２１は、硬貨の入出金を行うもので、各種のセンサ群２１ａ及びアクチュエータ群２１ｂを有している。この硬貨部２１は、図示せぬ硬貨投入口を通じて投入された硬貨を１枚ずつ分離させた状態で供給して該硬貨の真偽及び金種を鑑別し、硬貨（正貨）を搬送後に振り分けて金種別に収納するものである。
【００２０】
また硬貨部２１は、出金指令に応じて、収納する硬貨を図示せぬ硬貨出金口に払い出すものである。かかる硬貨部２１を構成するセンサ群２１ａは、該硬貨部２１でのエラーが発生したことを検出する検出手段としてのセンサを含んでいる。
【００２１】
紙幣部２２は、紙幣の入出金を行うもので、各種のセンサ群２２ａ及びアクチュエータ群２２ｂを有している。この紙幣部２２は、図示せぬ紙幣投入口に投入された紙幣を搬送し、その搬送途中において該紙幣の真偽及び金種を鑑別し、正貨であると判別された紙幣を金種に応じて振り分けて収納するものである。尚、正貨でないと判別された紙幣は図示せぬ紙幣出金口に搬送される。
【００２２】
また紙幣部２２は、出金指示があった場合、収納する紙幣を繰り出し、紙幣出金口から出金するものである。かかる紙幣部２２を構成するセンサ群２２ａは、該紙幣部２２でのエラーが発生したことを検出する検出手段としてのセンサを含んでいる。
【００２３】
操作入力部２３は、例えばテンキーや各種ボタン等により構成されており、入力操作を行う部位である。金銭制御部２４は、予め記憶されたプログラムやデータに従って自動釣銭機２０の動作を統括的に制御するものである。
【００２４】
ＰＯＳレジスタ装置１０は、自動釣銭機２０の上位機器であり、バーコードを不図示のバーコードリーダ（スキャナ）で読み取ることにより、商品名や価格、顧客情報等のデータが即時に入力されるパーソナルコンピュータベースのレジスタで構成されており、表示部１１と制御部１２とを備えて構成されている。
【００２５】
表示部１１は、例えば液晶タッチパネルで構成した表示手段であり、各種情報を表示するとともに、タッチ操作等の入力操作が可能なものである。
【００２６】
制御部１２は、記憶部１３に記憶されたプログラムやデータにしたがってＰＯＳレジスタ装置１０の動作を統括的に制御する制御手段である。尚、制御部１２は、例えば、ＣＰＵ（Central  Processing  Unit）等の処理装置にプログラムを実行させること、すなわち、ソフトウェアにより実現してもよいし、ＩＣ（Integrated  Circuit）等のハードウェアにより実現してもよいし、ソフトウェア及びハードウェアを併用して実現してもよい。
【００２７】
そのような記憶部１３には、エラー解除操作手順データ１３ａ及びメンテナンス手順データ１３ｂが格納されている。エラー解除操作手順データ１３ａは、自動釣銭機２０を構成する硬貨部２１及び紙幣部２２の各構成要素毎に設けられており、該当する構成要素でエラーが発生した場合に、該エラーを解除して正常状態へ復帰させるためのエラー解除操作を手順毎に示す画像データ１３１（図３等参照）と、該手順毎の文言データ１３２（図３等参照）とを有している。
【００２８】
メンテナンス手順データ１３ｂは、自動釣銭機２０を構成する硬貨部２１及び紙幣部２２の各構成要素毎に設けられており、該当する構成要素のメンテナンス操作を手順毎に示す画像データ１４１（図１２参照）と、該手順毎の文言データ１４２（図１２参照）とを有している。かかるメンテナンス操作としては、該当部分の汚れを取る等の清掃操作や、該当部分の交換を行う交換操作等を含むものであり、エラーが発生したときにそのエラー状態を正常状態へ復帰させるためのエラー解除操作とは異なるものである。
【００２９】
図２は、図１に示した制御部１２が実施するエラー解除操作表示処理の処理内容を示すフローチャートである。
【００３０】
このエラー解除操作表示処理において制御部１２は、硬貨部２１及び紙幣部２２のセンサ群２１ａ，２２ａのいずれかのセンサがエラー発生を検出したか否かを判断する（ステップＳ１０１）。より詳細には、制御部１２は、自動釣銭機２０の金銭制御部２４よりエラーが発生した旨の信号が与えられたか否かを判断する。金銭制御部２４よりエラーが発生した旨の信号が与えられたものと判断した場合、すなわち硬貨部２１及び紙幣部２２のセンサ群２１ａ，２２ａのいずれかのセンサがエラー発生を検出したものと判断した場合（ステップＳ１０１：Ｙｅｓ）、制御部１２は、エラー発生ユニットを特定する（ステップＳ１０２）。
【００３１】
そのようにしてエラー発生ユニットを特定した制御部１２は、記憶部１３からエラー発生ユニットとなる構成要素のエラー解除操作手順データ１３ａを読み出し（ステップＳ１０３）、表示部１１に順次表示させる（ステップＳ１０４）。
【００３２】
かかるステップＳ１０４の処理について具体的に説明する。尚、ここでは硬貨部２１における、硬貨の真偽及び金種を鑑別する検銭部がエラー発生ユニットであるとする。
【００３３】
図３に示すように、制御部１２は、最初のエラー解除手順となる自動釣銭機２０の画像データ１３１と、該エラー解除手順に対応した「硬貨部を引き出してください。」の文言データ１３２とを表示部１１に表示させる。かかる最初のエラー解除手順を表示してから所定時間（例えば２秒間〜５秒間）の経過後、制御部１２は、図４に示すように、第２のエラー解除手順となる自動釣銭機２０の画像データ１３１と、該エラー解除手順に対応した「硬貨部を引き出してください。」の文言データ１３２とを表示部１１に表示させる。
【００３４】
第２のエラー解除手順を表示してから所定時間の経過後、制御部１２は、図５に示すように、第３のエラー解除手順となる自動釣銭機２０の画像データ１３１と、該エラー解除手順に対応した「操作表示部を開けてください。」の文言データ１３２とを表示部１１に表示させる。かかる第３のエラー解除手順を表示してから所定時間の経過後、制御部１２は、図６に示すように、第４のエラー解除手順となる自動釣銭機２０の画像データ１３１と、該エラー解除手順に対応した「操作表示部を開けてください。」の文言データ１３２とを表示部１１に表示させる。
【００３５】
第４のエラー解除手順を表示してから所定時間の経過後、制御部１２は、図７に示すように、第５のエラー解除手順となる自動釣銭機２０の画像データ１３１と、該エラー解除手順に対応した「硬貨検銭搬送部を開けてください。」の文言データ１３２とを表示部１１に表示させる。かかる第５のエラー解除手順を表示してから所定時間の経過後、制御部１２は、図８に示すように、第６のエラー解除手順となる自動釣銭機２０の画像データ１３１と、該エラー解除手順に対応した「硬貨検銭搬送部を開けてください。」の文言データ１３２とを表示部１１に表示させる。
【００３６】
第６のエラー解除手順を表示してから所定時間の経過後、制御部１２は、図９に示すように、第７のエラー解除手順となる自動釣銭機２０の画像データ１３１と、該エラー解除手順に対応した「硬貨検銭通過センサ部分に残っている硬貨があれば取り除いてください。」の文言データ１３２とを表示部１１に表示させる。かかる第７のエラー解除手順を表示してから所定時間の経過後、制御部１２は、図１０に示すように、第８のエラー解除手順となる自動釣銭機２０の画像データ１３１と、該エラー解除手順に対応した「検銭部（１）を開け、詰まっている硬貨があれば取り除いてください。」の文言データ１３２とを表示部１１に表示させる。
【００３７】
第８のエラー解除手順を表示してから所定時間の経過後、制御部１２は、図１１に示すように、第９のエラー解除手順となる自動釣銭機２０の画像データ１３１と、該エラー解除手順に対応した「検銭部（１）を開け、詰まっている硬貨があれば取り除いてください。」の文言データ１３２とを表示部１１に表示させる。この第９のエラー解除手順においては、上記画像データ１３１及び上記文言データ１３２とともに、メンテナンス操作用の画像データ１４１を表示させるための入力部１４を表示部１１に表示させる。
【００３８】
この入力部１４を通じて入力操作された場合、制御部１２は、エラー解除操作用の画像データ１３１を表示させる原因となったエラーに関連するメンテナンス手順データ１３ｂを記憶部１３から読み出す。そして、制御部１２は、図１２に示すように、第１のメンテナンス手順となる自動釣銭機２０の画像データ１４１と、該メンテナンス手順に対応した「手垢汚れをウェス等に無水アルコールをつけて拭き取って下さい。」の文言データ１４２とを表示部１１に表示させる。更に、制御部１２は、上記画像データ１４１及び上記文言データ１４２とともに、メンテナンス操作用の画像データ１４１等を閉じてエラー解除操作用の画像データ１３１等に遷移させるためのキャンセル用入力部１５を表示部１１に表示させる。
【００３９】
キャンセル用入力部１５が操作されることなく第１のメンテナンス手順を表示してから所定時間の経過後、制御部１２は、図１３に示すように、第２のメンテナンス手順となる自動釣銭機２０の画像データ１４１と、該エラー解除手順に対応した「ベルトを手で回してプーリーを一周させ、溝に黒いカスが付着していればピンセット等で除去して下さい。」の文言データ１４２とを表示部１１に表示させるとともに、キャンセル用入力部１５を表示部１１に表示させる。
【００４０】
かかる第２のメンテナンス手順でメンテナンス手順データ１３ｂが終了するため、制御部１２は、所定時間の経過後、再び第１のメンテナンス手順の画像データ１４１及び文言データ１４２を表示することで、メンテナンス手順の表示を繰り返し、キャンセル用入力部１５の入力待ちとなる。
【００４１】
そして、キャンセル用入力部１５が入力操作されると、制御部１２は、図１１に示した第９のエラー解除手順を表示部１１に表示させる。
【００４２】
ところで、第９のエラー解除手順を表示部１１に表示させている場合に、入力部１４を通じて入力操作されることなく所定時間を経過すると、制御部１２は、図１４に示すように、第１０のエラー解除手順となる自動釣銭機２０の画像データ１３１と、該エラー解除手順に対応した「検銭部（１）を閉じてください。」の文言データ１３２とを表示部１１に表示させる。
【００４３】
第１０のエラー解除手順を表示してから所定時間の経過後、制御部１２は、図１５に示すように、第１１のエラー解除手順となる自動釣銭機２０の画像データ１３１と、該エラー解除手順に対応した「検銭搬送部を閉じてください。」の文言データ１３２とを表示部１１に表示させる。かかる第１１のエラー解除手順を表示してから所定時間の経過後、制御部１２は、図１６に示すように、第１２のエラー解除手順となる自動釣銭機２０の画像データ１３１と、該エラー解除手順に対応した「操作表示部を閉じてください。」の文言データ１３２とを表示部１１に表示させる。
【００４４】
第１２のエラー解除手順を表示してから所定時間の経過後、制御部１２は、図１７に示すように、第１３のエラー解除手順となる自動釣銭機２０の画像データ１３１と、該エラー解除手順に対応した「硬貨部を戻してください。」の文言データ１３２とを表示部１１に表示させる。かかる第１３のエラー解除手順を表示してから所定時間の経過後、制御部１２は、図１８に示すように、第１４のエラー解除手順となる自動釣銭機２０の画像データ１３１と、該エラー解除手順に対応した「硬貨部を戻してください。」の文言データ１３２とを表示部１１に表示させる。
【００４５】
第１４のエラー解除手順を表示してから所定時間の経過後、制御部１２は、図１９に示すように、第１５のエラー解除手順となる自動釣銭機２０の画像データ１３１と、該エラー解除手順に対応した「取消・復旧ボタンを押してください。」の文言データ１３２とを表示部１１に表示させることにより、上記ステップＳ１０４の処理を行う。
【００４６】
かかるステップＳ１０４の処理を行い、制御部１２は、操作入力部２３を構成する取消・復旧ボタンが押下操作されたか否かを判断することで、表示が終了したか否かを判断する（ステップＳ１０５）。
【００４７】
表示が終了したものと判断した場合（ステップＳ１０５：Ｙｅｓ）、制御部１２は、正常状態に復帰したものとして表示部１１に待機表示をさせ（ステップＳ１０６）、その後にエラー解除手順をリターンさせて今回の処理を終了する。
【００４８】
以上説明したように、本実施の形態である金銭処理装置用表示システムによれば、制御部１２が、自動釣銭機２０でエラーが生じたことがセンサ群２１ａ，２２ａを通じて検出された場合、該エラーに対応するエラー解除操作手順データ１３ａを記憶部１３から読み出すとともに、エラー解除操作用の画像データ１３１をエラー解除操作の進捗の各段階毎に表示部１１に順次表示させるので、取扱説明書等を用意させる必要もなく、操作者に表示部１１の表示にしたがってエラー解除操作を行わせることができる。しかも制御部１２は、エラー解除操作用の画像データ１３１を表示部１１に順次表示させる際に、メンテナンス操作用の画像データ１４１を表示させるための入力部１４を表示部１１に表示させ、入力部１４を通じて入力操作された場合に、エラー解除操作用の画像データ１３１を表示させる原因となったエラーに関連するメンテナンス手順データ１３ｂを記憶部１３から読み出すとともに、メンテナンス操作用の画像データ１４１を表示部１１に表示させるので、表示部１１の表示に従って操作者にメンテナンス操作を行わせることができる。従って、エラー解除の操作性及び利便性を向上させつつ、将来的なエラーの発生を必要に応じて低減させることができる。
【００４９】
ところで、上記メンテナンス操作用の画像データ１４１等を表示部１１に表示させて、操作者にメンテナンス操作を行わせることにより、硬貨部２１及び紙幣部２２のセンサ群２１ａ，２２ａのいずれかのセンサが新たなエラーの発生を検出する可能性がある。このように新たなエラーが発生が検出された場合、制御部１２は、新たなエラーを操作中エラーとして、エラー解除操作用の画像データ１３１を表示させる原因となったエラー（上記エラー解除操作表示処理におけるステップＳ１０１で検出されたエラーであり、以下、実エラーとも称する）と区別することが好ましい。このように実エラーと操作中エラーとを区別することで、自動釣銭機２０の運用により生ずるエラーの回数を正確に認識することができる。
【００５０】
実エラーと操作中エラーとの区別については次のようにして行うことができる。すなわち、制御部１２が、実エラー及び操作中エラーをともに履歴情報として記録する場合、該操作中エラーについては予め決められた印を付与して記録することにより区別することができる。また制御部１２は、操作中エラーについては履歴情報に記録しないことで、操作中エラーを実エラーと区別することができる。
【００５１】
このような制御部１２は、エラー解除操作表示処理において、入力部１４を通じて入力操作されてから自動釣銭機２０が正常状態に復帰するまで、硬貨部２１及び紙幣部２２のセンサ群２１ａ，２２ａにより検出された新たなエラーを操作中エラーとすることが好ましい。ここで自動釣銭機２０が正常状態に復帰したものと判断するには、上述したように操作入力部２３を構成する取消・復旧ボタンが押下操作された場合でもよいし、それ以外に、電源がオフからオンに切り替わった場合、リセット指示が上位機器であるＰＯＳレジスタ装置１０から与えられた場合、硬貨部２１及び紙幣部２２の構成要素が筐体にセットされたことが検知された場合、あるいはこれらの操作の組み合わせが成立した場合等であってもよい。
【００５２】
以上、本発明の好適な実施の形態について説明したが、本発明はこれに限定されるものではなく、種々の変更を行うことができる。
【００５３】
上述した実施の形態では、金銭処理装置用表示システムがＰＯＳレジスタ装置１０により構成されていたが、本発明においては、金銭処理装置用表示システムを構成する表示部は、操作者が携帯する例えばタブレット等の携帯情報端末であってもよい。
【００５４】
上述した実施の形態では、エラー解除操作表示処理において、キャンセル用入力部１５が操作された場合に、メンテナンス操作用の画像データ１４１を表示させる前の第９のエラー解除手順のエラー解除操作用の画像データ１３１を表示させるようにしたが、本発明においては、メンテナンス操作用の画像データ１４１を表示させた後の画像の遷移先については特に限定されるものではない。従って、メンテナンス手順データ１３ｂ（メンテナンス操作用の画像データ１４１）を表示させた後は、正常状態に復帰したものとして待機表示をさせてもよいし、上記の例であれば第１０のエラー解除手順のエラー解除操作用の画像データ１３１等を表示させるようにしてもよい。
【００５５】
上述した実施の形態では、第９のエラー解除手順においてメンテナンス操作用の画像データ１４１を表示させるための入力部１４を表示させていたが、本発明においては、メンテナンス操作用の画像データを表示させるための入力部を、任意のエラー解除手順におけるエラー解除操作用の画像データに付加してもよく、特に限定されるものではない。
【００５６】
本発明においては、金銭処理装置が操作者の訓練を目的として模擬的にエラーを発生させる機能を有するものであってもよい。このように模擬的にエラーを発生させる場合、かかる模擬的なエラーについても操作中エラーと同様に、実エラーと区別することが好ましい。
【符号の説明】
【００５７】
１０  ＰＯＳレジスタ装置
１１  表示部
１２  制御部
１３  記憶部
１３ａ  エラー解除操作手順データ
１３ｂ  メンテナンス手順データ
１３１  エラー解除操作用の画像データ
１３２  エラー解除操作用の文言データ
１４  入力部
１４１  メンテナンス操作用の画像データ
１４２  メンテナンス操作用の文言データ
１５  キャンセル用入力部
２０  自動釣銭機
２１  硬貨部
２１ａ  センサ群
２１ｂ  アクチュエータ群
２２  紙幣部
２２ａ  センサ群
２２ｂ  アクチュエータ群
２３  操作入力部
２４  金銭制御部
【図１】
2020135227.tif 000003
【図２】
2020135227.tif 000004
【図３】
2020135227.tif 000005
【図４】
2020135227.tif 000006
【図５】
2020135227.tif 000007
【図６】
2020135227.tif 000008
【図７】
2020135227.tif 000009
【図８】
2020135227.tif 000010
【図９】
2020135227.tif 000011
【図１０】
2020135227.tif 000012
【図１１】
2020135227.tif 000013
【図１２】
2020135227.tif 000014
【図１３】
2020135227.tif 000015
【図１４】
2020135227.tif 000016
【図１５】
2020135227.tif 000017
【図１６】
2020135227.tif 000018
【図１７】
2020135227.tif 000019
【図１８】
2020135227.tif 000020
【図１９】
2020135227.tif 000021